【手続補正書】
【提出日】平成28年10月20日(2016.10.20)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、前記方法は、
ビデオブロック区分がルーマサンプルの照明補償を実行するための、前記ルーマサンプルの中で共通の１組の予測重みを有するように、前記ビデオブロック区分に対して一度、前記ビデオブロック区分のための変換サイズに基づいてではなく、前記ビデオブロック区分のサイズに基づいて、前記ビデオブロック区分の前記ルーマサンプルの照明補償のための予測重みを導出することと、
照明補償を用いる前記予測重みを用いて前記ビデオブロック区分のための予測されたブロックを計算することと、
前記予測されたブロックを用いて前記ビデオブロック区分を復号することとを備える、方法。
【請求項２】
ビデオデータを符号化する方法であって、前記方法は、
ビデオブロック区分がルーマサンプルの照明補償を実行するための、前記ルーマサンプルの中で共通の１組の予測重みを有するように、前記ビデオブロック区分に対して一度、前記ビデオブロック区分のための変換サイズに基づいてではなく、前記ビデオブロック区分のサイズに基づいて、前記ビデオブロック区分の前記ルーマサンプルの照明補償のための予測重みを導出することと、
照明補償を用いる前記予測重みを用いて前記ビデオブロック区分のための予測されたブロックを計算することと、
前記予測されたブロックを用いて前記ビデオブロック区分を符号化することとを備える、方法。
【請求項３】
前記共通の１組の予測重みを導出することは、トップ隣接ブロックの多くてもＮ×４サンプルからのルーマサンプルと、左側隣接ブロックの多くても４×Ｍサンプルからのルーマサンプルとを用いて、前記共通の１組の予測重みを導出することを備え、
ここにおいて、Ｎは幅であり、Ｍは高さであり、
ここにおいて、ＮおよびＭは１６以下である、請求項１または２に記載の方法。
【請求項４】
前記トップ隣接ブロックはルーマサンプルの１行の高さを有し、
前記左側隣接ブロックはルーマサンプルの１列の幅を有し、
前記トップ隣接ブロックはルーマサンプルの前記１行からのルーマサンプルの第１のサブセットのみを含み、
前記左側隣接ブロックは、ルーマサンプルの前記１列からのルーマサンプルの第２のサブセットのみを含む、請求項３に記載の方法。
【請求項５】
前記左側隣接ブロックの前記Ｎ×４サンプルは、前記ビデオブロック区分に対する任意の４×８左側隣接ルーマサンプルを備え、または、
前記左側隣接ブロックの前記Ｎ×４サンプルは、前記ビデオブロック区分に対する任意の４×４左側隣接ルーマサンプルを備え、または、
前記トップ隣接ブロックの前記４×Ｍサンプルは、前記ビデオブロック区分に対する任意の８×４左側隣接ルーマサンプルを備え、または、
前記トップ隣接ブロックの前記４×Ｍサンプルは、前記ビデオブロック区分に対する任意の４×４左側隣接ルーマサンプルを備える、請求項３に記載の方法。
【請求項６】
ＮおよびＭのうちの少なくとも一方は４に等しくなく、
前記トップ隣接ブロックは最も左側のトップ隣接ブロックであり、
前記左側隣接ブロックは最もトップの左側隣接ブロックである、請求項３に記載の方法。
【請求項７】
ｉ）前記予測重みを導出することは、前記トップ隣接ブロックの中央および左端および右端からのサンプル、および前記左側隣接ブロックの中央および上端および下端からのサンプルを用いて前記予測重みを導出することを備え、または、
ｉｉ）前記予測重みを導出することは、サンプルの前記行またはサンプルの前記列のうちの多くても４つのサンプルを用いて、前記予測重みを導出することを備え、または、
ｉｉｉ）前記予測重みを導出することは、１つまたは複数のダウンサンプリングされたサンプルを用いて前記予測重みを導出することを備え、または、
ｉｖ）前記予測重みを導出することは、１つまたは複数のダウンサンプリングされフィルタリングされたサンプルを用いて前記予測重みを導出することを備える、請求項３に記載の方法。
【請求項８】
前記区分は８×８のサイズを有し、前記共通の１組の予測重みは単一の１組の予測重みを備え、前記方法はさらに、前記ビデオブロック区分のルーマサンプルの１つのブロックのための予測重みに基づいて、前記ビデオブロック区分の照明補償のための前記単一の１組の予測重みを導出することを備える、請求項１または２に記載の方法。
【請求項９】
前記１組の予測重みは１組の以前に復号された左側隣接ルーマサンプルと、前記ビデオブロック区分と同じピクチャ内の前記ビデオブロック区分に対する１組のトップ隣接ルーマサンプルとに基づき、前記１組の予測重みはまた、前記ビデオブロック区分のためのルーマサンプルのビュー間予測参照ブロックに対する１組の左側隣接ルーマサンプルおよび１組のトップ隣接ルーマサンプルに基づく、請求項１または２に記載の方法。
【請求項１０】
前記ビュー間予測参照ブロックは第１のブロックを備え、
前記１組の左側隣接ルーマサンプルおよび前記１組のトップ隣接ルーマサンプルは、前記第１のブロックの場所を指示する丸められた動きベクトルに基づいて決定される第２の異なるビュー間参照ブロックに対して隣接している、請求項９に記載の方法。
【請求項１１】
ｉ）前記ビデオブロック区分はフルビデオブロックの１つまたは複数のビデオブロック区分のうちの１つのビデオブロック区分を備え、前記共通の１組の予測重みを導出することは、前記フルビデオブロックの左上ピクセルを含む前記ビデオブロック区分のうちの前記１つに基づいてすべての前記ビデオブロック区分に対して一度、前記共通の１組の予測重みを導出することを備え、または、
ｉｉ）前記ビデオブロック区分は、複数のサブブロックを備え、前記サブブロックの各々はそれぞれの動きベクトルを有し、前記共通の１組の予測重みを導出することは、前記ビデオブロック区分の左上サブブロックに基づいて、前記サブブロックごとに一度、前記共通の１組の予測重みを導出することを備える、請求項１または２に記載の方法。
【請求項１２】
前記ビデオブロック区分はＮ×Ｍに等しいサイズを有し、
ここにおいて、Ｎは幅であり、Ｍは高さであり、
前記予測重みを導出することは、Ｎに基づく上側隣接ブロック内のピクセルの列の数、およびＭに基づく左側隣接ブロック内のピクセルの行の数のうちの少なくとも一方を用いて前記予測重みを導出することを備える、請求項１または２に記載の方法。
【請求項１３】
実行されるときに、１つまたは複数のプロセッサに、請求項１から１２のうちのいずれかの方法を実行させる命令を備える、非一時的コンピュータ可読記憶媒体。
【請求項１４】
ビデオデータを復号するためのデバイスであって、
ビデオブロック区分がルーマサンプルの照明補償を実行するための、前記ルーマサンプルの中で共通の１組の予測重みを有するように、前記ビデオブロック区分に対して一度、前記ビデオブロック区分のための変換サイズに基づいてではなく、前記ビデオブロック区分のサイズに基づいて、前記ビデオブロック区分の前記ルーマサンプルの照明補償のための予測重みを導出するための手段と、
照明補償を用いる前記予測重みを用いて前記ビデオブロック区分のための予測されたブロックを計算するための手段と、
前記予測されたブロックを用いて前記ビデオブロック区分を復号するための手段とを備える、デバイス。
【請求項１５】
ビデオデータを符号化するためのデバイスであって、
ビデオブロック区分がルーマサンプルの照明補償を実行するための、前記ルーマサンプルの中で共通の１組の予測重みを有するように、前記ビデオブロック区分に対して一度、前記ビデオブロック区分のための変換サイズに基づいてではなく、前記ビデオブロック区分のサイズに基づいて、前記ビデオブロック区分の前記ルーマサンプルの照明補償のための予測重みを導出するための手段と、
照明補償を用いる前記予測重みを用いて前記ビデオブロック区分のための予測されたブロックを計算するための手段と、
前記予測されたブロックを用いて前記ビデオブロック区分を符号化するための手段とを備える、デバイス。